(57)【要約】【課題】自動販売機内への商品見本の展示を不要にするとともに、自動販売機に接する購買者に購買意欲を起こさせることが可能な化粧カバーを提供する。【解決手段】自動販売機のフロント面に着脱自在に装着される自動販売機用化粧カバーであって、化粧カバー本体２と、化粧カバー本体２の裏面に形成された接着層１１と、化粧カバー本体２の任意の箇所に形成された商品表示部３及び商品広告表示部７を有するとともに、前記商品表示部３及び商品広告表示部７は、化粧カバー本体２を正面側に向けて凸状に立体成型して形成されるとともに、裏面側にＬＥＤ等の発光手段を備えたことを特徴としており、これにより、自動販売機内に商品見本を展示することを不要にするとともに、製造コストを上げることなく自動販売機に接する購買者に強いインパクトを与えて購買意欲を起こさせることを可能としている。【選択図】図１
2016148980.tif 000002
【特許請求の範囲】
【請求項１】
自動販売機のフロント面に着脱自在に装着される自動販売機用化粧カバーであって、
化粧カバー本体（２）と、
該化粧カバー本体（２）の任意の箇所に形成された商品表示部（３）と、を有するとともに、
前記商品表示部（３）は、前記化粧カバー本体（２）の正面側に向けて突出させて形成した、ことを特徴とする自動販売機用化粧カバー。
【請求項２】
前記商品表示部（３）は、前記化粧カバー本体（２）を正面側に向けて凸状に立体成型することで形成されたことを特徴とする請求項１に記載の自動販売機用化粧カバー。
【請求項３】
前記商品表示部（３）は、前記化粧カバー本体（２）の裏面側に発光手段（１６）を具備したことを特徴とする請求項１又は請求項２に記載の自動販売機用化粧カバー。
【請求項４】
前記化粧カバー本体（２）の裏面に、接着剤を任意のパターンによって塗布することで形成した接着層（１１）を具備したことを特徴とする請求項１乃至請求項３のいずれかに記載の自動販売機用化粧カバー。
【請求項５】
前記化粧カバー本体（２）の任意の箇所に、前記化粧カバー本体（２）の正面側に向けて突出させて形成した商品広告表示部（７）を有することを特徴とする請求項１乃至請求項４のいずれかに記載の自動販売機用化粧カバー。
【請求項６】
前記商品広告表示部（７）は、前記化粧カバー本体（２）の裏面側に発光手段（１９）を具備したことを特徴とする請求項５に記載の自動販売機用化粧カバー。
【発明の詳細な説明】
【技術分野】
【０００１】
本発明は自動販売機に用いる化粧カバーに係り、より詳しくは、自動販売機におけるフロント面に着脱自在に装着され、これにより自動販売機のフロント面を保護するとともに低コストによる装飾の変更、補修等を容易にし、更に、低コストによる自由なデコレーションにより、自動販売機に接する者に強いインパクトを与えることを可能にした自動販売機用化粧カバーに関する。
【背景技術】
【０００２】
一般的に、自動販売機は、その設置、あるいは回収に際しては、いわゆる「ねこ」と呼ばれる手押しの運搬具を用いて運搬されるが、このとき、自動販売機のフロント面を下側にして運搬具に乗せ、この状態で設置場所等に運搬していくのが一般的である。
【０００３】
そのため、自動販売機は、フロント側の形状等に制約が生じてしまい装飾性に富んだインパクトのある自動販売機を製造できないという問題点が従来から指摘されていた。即ち、インパクトのある自動販売機にするためには、フロント側に目立つ装飾を施すことが望ましく、そのためには、例えばフロント面に凹凸を有する商品広告等を形成したり、フロント面を正面側に向けて湾曲したりすることが考えられるが、例えばフロント面に凹凸を形成した場合、あるいはフロント面を正面側に向けて湾曲させた場合には、運搬の際にこの凹凸を形成した部分、あるいは湾曲部分が下側になるため、運搬中の振動等により、これらの凹凸面、湾曲面が損傷してしまうことも十分に考えられる。
【０００４】
またこのほか、自動販売機の設置、回収に際しては、クレーン、リフトを用いることもあり、例えばクレーンを用いる場合は、自動販売機にロープをかけ、このロープにクレーン先端を引っかけて、これによりクレーンで自動販売機を吊しながら移動、設置を行うが、このとき、フロント面に凹凸を形成した場合、あるいはフロント面を正面側に向けて湾曲させた場合において、この凹凸部分等にロープがかかってしまった場合には凹凸面等が割れてしまうことも考えられる。更に、クレーンで吊っている途中で作業者が自動販売機の揺れを止めるために自動販売機に触れる場合があるが、このときもまた、自動販売機は一般的に４００ｋｇ以上の重量であるため、フロント面に凹凸を形成した場合、あるいはフロント面を正面側に向けて湾曲させた場合において、この凹凸部分等に作業者が触れてしまった場合には、凹凸面等が割れてしまうことも考えられる。
【０００５】
そのために、従来の自動販売機では、運搬の際の損傷を最小限に抑えることを目的として、フロント面はできるだけフラットにすることが行われており、それにより、特にフロント面の装飾の自由度が制約されてしまい、自由にデコレーションを行うことができず、インパクトのある自動販売機の製造には限界が生じていた。
【０００６】
また、自動販売機においては、フロント扉に商品広告等を表示していることが一般的に行われているが、従来はフロント扉に塗装等により商品広告等を表示しているため、これを他の広告に変更する場合には、少なくともフロント扉全面を再塗装しなければならず、手間がかかるとともにコストも上がってしまうという問題点があった。そしてこのことは、自動販売機の補修の際にも言えることであり、即ち、自動販売機の補修を行う場合には傷等のある箇所を含めてすべての塗装をし直すことが一般的であるため、そのための手間と費用がかかってしまうという問題点が考えられた。
【０００７】
そのために、本発明者は過去において、自動販売機のフロント面の装飾の自由度を高めてインパクトのある自動販売機にすることが可能であるとともに、装飾の変更、補修等を容易にすることを目的として、自動販売機に用いる化粧カバーを提案した。
【先行技術文献】
【特許文献】
【０００８】
【特許文献１】特開平２００７−６５７９２号公報
【特許文献１】特開平２０１２−３２９０５号公報
【発明の概要】
【発明が解決しようとする課題】
【０００９】
ところで、一般的に自動販売機では、フロント扉の内部に商品見本を収納するための商品見本収納空間を有するとともに、フロント扉における商品見本収納空間に対向する部分が透明な窓になっており、これにより、商品を購入しようとする者が商品見本を確認可能としている。
【００１０】
そして、前述の化粧カバーにおいても、化粧カバーを自動販売機のフロント扉に接着した際に自動販売機の商品見本展示部に対応する箇所を切り欠くことにより形成した商品見本展示用窓を有しており、これにより、自動販売機の商品見本収納空間に収納した商品見本を確認可能としている。
【００１１】
しかし、このように、自動販売機の商品見本収納空間に商品見本を展示する方法では、販売している商品を入れ替える際には商品見本も入れ替えなければならず、作業が大変になってしまう。この点、化粧カバーに商品の絵、写真等を表示し、これにより、自動販売機に商品見本を展示することを不要にする方法が考えられるが、単に化粧カバーに商品の絵、写真等を表示するのみでは、購買者にインパクトを与えることは困難である。
【００１２】
そこで、本発明は、自動販売機内に商品見本を展示することなく、自動販売機に接する購買者に購買意欲を起こさせることが可能な化粧カバーを提供することを課題としている。
【課題を解決するための手段】
【００１３】
本発明の自動販売機用化粧カバーは、自動販売機のフロント面に着脱自在に装着される自動販売機用化粧カバーであって、
化粧カバー本体と、該化粧カバー本体の任意の箇所に形成された商品表示部と、を有するとともに、
前記商品表示部は、前記化粧カバー本体の正面側に向けて突出させて形成したことを特徴としている。
【発明の効果】
【００１４】
本発明の自動販売機用化粧カバーでは、化粧カバー本体の任意の箇所に、商品デザイン等を表示した商品表示部を有するとともに、この商品表示部を、前記化粧カバー本体の正面側に向けて突出させて形成している。
【００１５】
そのために、本発明の自動販売機用化粧カバーでは、自動販売機に商品見本を展示する必要が無く、従って商品の入れ替えの際にも商品見本を入れ替える作業を無くするとともに、自動販売機に接する購買者に強いインパクトを与えて、購買意欲を起こさせることが可能である。
【図面の簡単な説明】
【００１６】
【図１】本発明の自動販売機用化粧カバーの実施例の正面側斜視図である。
【図２】本発明の自動販売機用化粧カバーの実施例の裏面を示す図である。
【図３】図１におけるＡ−Ａ線断面図である。
【図４】図１におけるＢ−Ｂ線断面図である。
【図５】本発明の自動販売機用化粧カバーの実施例における商品表示部に備えたＬＥＤを説明するための図である。
【図６】本発明の自動販売機用化粧カバーの実施例における商品表示部の他の構成を説明するための図である。
【図７】本発明の自動販売機用化粧カバーの実施例における商品表示部の他の構成を説明するための図である。
【発明を実施するための形態】
【００１７】
本発明の自動販売機用化粧カバーでは、自動販売機のフロント面に着脱自在に装着される化粧カバー本体を有しており、この化粧カバー本体の任意の箇所には、販売している商品の外観デザインを模した絵や、販売している商品の写真を表示した商品表示部を有している。
【００１８】
そして、この商品表示部は、化粧カバー本体の正面側に向けて突出させて形成しており、突出させて形成する方法としては、化粧カバー本体を正面側に向けて凸状に立体成型するとよい。
【００１９】
ここで、前記化粧カバー本体の裏面側における商品表示部の部分に、ＬＥＤ等の発光手段を備えるとよく、これにより、夜間等においても、商品表示部を際立たせることが可能である。
【００２０】
また、前記化粧カバー本体の裏面に、接着剤を任意のパターンによって塗布することで形成した接着層を具備するとよく、パターンとしては、ストライプ状、ランダム状等にするとともに、化粧カバーを自動販売機に貼着した際にエアーを抜くことが可能なエアー抜き部を有するようにするとよく、これにより、化粧カバーを容易に自動販売機に装着可能であるとともに、化粧カバーを自動販売機のフロント扉等に接着した際において、化粧カバーと自動販売機との間に空気が入ってしまった場合でも、エアー抜き部を介して空気を外部に出すことができ、化粧カバー本体に皺ができることを有効に防止することができる。
【００２１】
更に、化粧カバー本体の任意の箇所に、化粧カバー本体の正面側に向けて突出させて形成した商品広告表示部を有するとともに、適宜、この商品広告表示部の裏面側にＬＥＤ等の発光手段を具備するとよく、これにより、自動販売機に接する購買者に更に強いインパクトを与えることが可能である。
【実施例１】
【００２２】
本発明の自動販売機用化粧カバー（以下単に「化粧カバー」という。）の実施例について図面を参照して説明すると、図１、２は、本実施例の化粧カバーを説明するための図であり、図１は本実施例における化粧カバー本体２の正面側を示しており、図２は本実施例における化粧カバー本体２の裏面を示している。
【００２３】
そして、図において１が本実施例の化粧カバーであり、本実施例において前記化粧カバー１は、自動販売機のフロント扉の正面側に接着され、それによって自動販売機のフロント面を装飾するために用いられ、対象とする自動販売機は、缶コーヒー、缶ジュース等の飲料の自動販売機としている。
【００２４】
即ち、本実施例における前記化粧カバー１は、化粧カバー本体と、この化粧カバー本体の裏面に形成した接着層と、適宜、接着層を被覆した剥離紙で構成されており、接着層によって、化粧カバー本体の裏面を自動販売機のフロント扉の正面に接着することで使用される。
【００２５】
なお、本発明の化粧カバーは、必ずしも缶コーヒー、缶ジュース等の飲料の自動販売機用の化粧カバーには限定されず、その他、たばこ、食品等、いずれの自動販売機用に用いても良い。
【００２６】
次に、前記化粧カバー本体について説明すると、図において２が化粧カバー本体であり、本実施例において前記化粧カバー本体２は、硬質の樹脂製とし、自動販売機のフロント扉の正面側を十分に覆うことが可能な形状及び寸法、具体的には自動販売機のフロント扉の形状に合わせて縦長の長方形状とした平板状としている。
【００２７】
そして、化粧カバー本体２の上方部分には、販売している商品の絵や写真等を表示した商品表示部を形成している。即ち、図において３が商品表示部である。そして、本実施例においては、自動販売機で販売している飲料と同数の商品表示部３を有しており、これにより、販売している商品の中から、購買者が好みの飲料を選択可能としている。また、前記商品表示部３は、本実施例の化粧カバー１を自動販売機のフロント扉に接着した際に自動販売機の商品見本展示部に対応する箇所に形成するとともに、この商品表示部３の下段は、自動販売機の商品選択ボタンの位置に対応する箇所を切り欠いて自動販売機の商品選択ボタンを押圧可能にし、この切り欠いた部分を商品選択ボタン用窓４としている。
【００２８】
ここで、前記商品表示部３について説明すると、図３は、図１におけるＡ−Ａ線断面を示す図であり、本実施例において前記商品表示部３は、化粧カバー本体の正面側に向けて突出させて形成しており、具体的には、前記化粧カバー本体２を正面側に向けて凸状に押し出して立体成型して形成している。即ち、本実施例において前記商品表示部３は、化粧カバー本体２の正面側に、商品見本缶の正面側の半分部分が装着されたような形態になるように、化粧カバー本体２をかまぼこ状に正面側に押し出して形成しており、これにより、化粧カバー本体２を、正面側に、商品見本缶の正面側の半分部分の形態で飛び出させている。そのために、本実施例の化粧カバー１では、自動販売機への商品見本の展示が不要であるとともに、商品表示部の立体成型により、商品購買者に商品を強く印象付けることができ、それにより購買意欲を起こさせることが可能である。
【００２９】
但し、商品表示部３は、必ずしも押出成型して形成する必要はなく、化粧カバー本体の正面側に向けて突出させて形成されてあればよい。ここで、図６は商品表示部３の他の構成を説明した図であり、図において３が商品表示部である。そして、図６に示す商品表示部３は、商品の正面側の半分部分の形状に突出させた見本缶部１４を有しており、一方、前記化粧カバー本体２には、前記見本缶部１４が挿入可能な嵌め込み孔１３が形成されている。また、見本缶部１４における反突出側の端部には、外周側に向けて、見本缶部１４を嵌め込み孔１３内に挿入した際に化粧カバー本体２の裏面に当接する鍔部１５が形成されている。
【００３０】
そして、前記鍔部１５が化粧カバー本体２の裏面に当接するまで見本缶部１４を嵌め込み孔１３内に挿入させ、その後に、接着、ネジ止、係止等で商品表示部３を化粧カバー本体２に固定することで、化粧カバー本体２の正面側に向けて商品表示部３を突出させて形成することができ、この方法によれば、販売している商品の一部に入れ替えがあって場合には、その部分のみを交換することで対応することが可能となる。なお、図７（ｂ）が見本缶部１４を嵌め込み孔１３に嵌め込む前の状態の端面構成を示し、図７（ａ）が見本缶部１４を嵌め込み孔１３に嵌め込んだ状態の端面構成を示している。
【００３１】
次に、図３において１６は、発光手段としてのＬＥＤである。即ち、本実施例の化粧カバー１では、前記商品表示部３の内部に発光手段としてのＬＥＤ１６を備えており、これにより、夜間等でも商品表示部３を目立たせることを可能としている。
【００３２】
ここで、前記ＬＥＤ１６の取り付けの方法について説明すると、図２において１７はＬＥＤ１６を備えた基板であり、また、図５は前記基板１７を示した図である。そして、前記基板１７は、長尺状であり、基板１７を化粧カバー本体２の裏面に取り付けた際に、各商品表示部３内に収納可能な間隔で、ＬＥＤ１６が配置されている。
【００３３】
また、前記基板１７には各ＬＥＤ１６に電源を供給するためのリード線１８が接続されており、前記基板１７を、ネジ、接着、係止等によって前記化粧カバー本体２の裏面に取り付け、更に化粧カバー２を自動販売機のフロント扉に接着した後に、前記リード線１８を電源に接続することで、前記商品表示部３を光らせることが可能となる。そのために、商品見本缶の正面側の半分部分の形態で突出させた商品表示部の形態に加えて、ＬＥＤ１６による発光効果により、商品購買者に商品をより強く印象付けることができ、それにより購買意欲を起こさせることが可能である。
【００３４】
なお、図において５は、コイン投入用窓である。即ち、前記化粧カバー本体２において、化粧カバー１を自動販売機に装着した際に、自動販売機のフロント扉に備えたコイン投入口、払い戻しレバー、及び投入金額等の表示部を含むコイン投入領域に対応した部分には、切り欠きを形成しており、この切り欠き部分を、コイン投入用窓５とし、更に、化粧カバー１を自動販売機に装着した際に、自動販売機のフロント扉に備えた釣り銭取り出し口に対応した部分には、釣り銭取り出し用窓部８としている。
【００３５】
また、前記化粧カバー本体２において、化粧カバー１を自動販売機に装着した際に、自動販売機のフロント扉に備えた商品取り出し口に対応した部分にも切り欠きを形成しており、この切り欠き部分を商品取り出し用窓６としている。
【００３６】
このように、本実施例の化粧カバー１では、自動販売機のフロント扉に備えられている商品選択ボタン、コイン投入領域、釣り銭取出口及び商品取り出し口に対応した箇所を切り欠いて、商品の選択、コイン投入、釣り銭の取出、商品の取り出し等を可能にしているため、これを自動販売機のフロント扉の正面に接着した場合でも自動販売機の使用には何らの悪影響もない。
【００３７】
なお、前述の説明では、自動販売機の商品選択ボタンの位置に対応する箇所を切り欠いて自動販売機の商品選択ボタンを押圧可能にしたが、商品表示部３の下段に商品選択ボタンを配置し、この商品選択ボタンの裏面側に基板を取り付けるとともに、この基板を自動販売機の基板に接続して、商品選択ボタンを押下することで、選択した商品が出てくるようにしても良い。
【００３８】
また、前述したように、本実施例において前記化粧カバー本体２は硬質の樹脂製としているが、必ずしも硬質の樹脂を用いて形成する必要はなく、その他、アルミ等の金属板や木製の板により形成してもよい。
【００３９】
更に、自動販売機においては、フロント面にゲーム等を備えたものも存在しているが、かかる自動販売機用に本実施例の化粧カバーを用いる場合には適宜、本実施例の化粧カバー１を自動販売機に装着した際に自動販売機のフロント扉に備えたゲーム部分に対応した部分を切り欠いてゲーム用窓とするとよい。
【００４０】
次に、図１、２において７は、販売している商品の広告等を表示した商品広告表示部であり、本実施例において商品広告表示部は、化粧カバー本体２における商品取り出し用窓６の上方に設けられ、斜め方向に傾けたコーヒー缶の、正面側の半分部分を表示している。
【００４１】
ここで、前記商品広告表示部７について説明すると、図４は図１におけるＢ−Ｂ線断面を示す図であり、本実施例において前記商品広告表示部７は、前記化粧カバー本体２を正面側に向けて凸状に押し出して立体成型して形成している。即ち、本実施例において前記商品広告表示部７は、前述の商品表示部３と同様に、化粧カバー本体２の正面側に商品見本缶の正面側の半分部分が装着されたような形態になるように、化粧カバー本体２をかまぼこ状に正面側に押し出して形成しており、これにより、化粧カバー本体２を正面側に、飲料缶の正面側の半分部分の形態で飛び出させている。
【００４２】
このように、本実施例の化粧カバーでは、商品の広告、キャッチフレーズ、商品デザイン等を表示した商品広告表示部７を化粧カバーに設けるに際して、この商品広告表示部７を、化粧カバー本体を正面側に向けて凸状に立体成型することのみで形成しているため、製造コストを上げることなく、自由にデコレーションを行うことができ、それによって、自動販売機に接する購買者に強いインパクトを与えることができる立体的な商品広告を得ることが可能である。
【００４３】
なお、図４において１９はＬＥＤである。即ち、本実施例において前記商品広告表示部７の裏面には、ＬＥＤ１９を具備した基板２０を配置し、基板２０を介してＬＥＤ１９に電源を供給することで、商品広告表示部７を光らせることを可能にしており、これにより、よりインパクトのある商品広告にすることを可能としている。但し、ＬＥＤ１９は必ずしも必要なものではなく、これを備えない構成にしてもよい。
【００４４】
次に、図２において１１は、接着層である。即ち、本実施例において、前記化粧カバー本体２の裏面には、化粧カバー本体２における切り欠き部分以外の部分に、ストライプ状に、接着剤を塗布して接着層１１を形成している。
【００４５】
そしてそれにより、接着層１１以外の箇所を、化粧カバー１を自動販売機のフロント扉に接着した際に、接着剤の厚み分だけ、自動販売機のフロント扉と化粧カバー本体２との間に、端部において外部に連通した、凹溝部が形成されるようにし、この凹溝部をエアー抜き部１２としている。
【００４６】
そのために、本実施例の化粧カバー１では、自動販売機のフロント扉に接着した際に、化粧カバー１と自動販売機との間に空気が入ってしまった場合でも、前記エアー抜き部１２の端部を介して、化粧カバー１と自動販売機との間に入ってしまった空気を外部に出すことができる。
【００４７】
従って、本実施例の化粧カバーでは、自動販売機のフロント扉に貼り付けた場合において、化粧カバーと自動販売機における接着面との間に空気が残ってしまう事を無くすることが可能である。
【００４８】
なお、前述したように、図２においては、接着剤を横のストライプ状のパターンで塗布して接着層１１を形成した構成を示したが、この接着剤の塗布のパターンは特に限定されず、化粧カバーを自動販売機に貼着した際に、エアーを抜くことが可能なエアー抜き部１２が形成されるパターンであればいずれでもよい。従って、縦のストライプ状、斜めのストライプ状、水玉状、あるいは、化粧カバーを自動販売機に貼着した際にエアーを抜くことが可能なエアー抜き部が形成されるように矢絣状に接着剤１１を塗布してもよい。
【００４９】
また、接着剤の塗布に際しては、図２にも示されるように、細かい接着剤の点をランダムに多数個を塗布してもよく、この接着剤の細かい点をランダムに塗布することで、全体としてストライプ状の接着層を形成し、あるいは、化粧カバー本体２の裏面における切り欠き部分以外の部分全体に接着層を形成してもよく、更にその他、接着剤の塗布に際しては、接着テープを用いてもよい。
【００５０】
更に、エアー抜き部１２は、必ずしも明確な凹溝にする必要はなく、エアーを押し出して外部に抜くことができればいずれでもよく、従って、必ずしも外部に連通している必要はなく、わずかに接着剤が塗布されており、エアーを抜いていくことで、瞬間的に化粧カバー本体と自動販売機との貼着が解除されるような構成としてもよい。
【００５１】
なお、図示を省略しているが、前記接着層には剥離紙が剥離可能に接着されており、使用に際してはこの剥離紙を剥離して接着層を露出した後に、化粧カバー本体２を自動販売機に貼着することとしている。
【００５２】
次に、本実施例の化粧カバー１の作用について説明すると、本実施例の化粧カバー１を自動販売機に用いる場合には、化粧カバー本体２の裏面の接着層１１を覆っている剥離紙を剥がして接着層１１を露出させ、この接着層１１を、自動販売機のフロント扉の正面に接着し、これにより、本実施例の化粧カバー１を自動販売機のフロント扉の正面に接着する。
【００５３】
そうすると、自動販売機の全塗装、補修等を行うことなく、自動販売機の外観を容易に変更することができるとともに、本実施例の化粧カバー１では、自動販売機のフロント扉に備えられている商品選択ボタン、コイン投入領域、釣り銭取出口、商品取り出し口に対応した箇所を切り欠いて、商品選択ボタン用窓４、コイン投入用窓５、商品取り出し用窓６及び釣り銭取り出し用窓８とし、商品の選択、コイン投入、釣り銭の取出、商品の取り出し等を可能にしているため、化粧カバー１を接着していない自動販売機と同様に使用することができる。
【００５４】
また、本実施例の化粧カバー１では、商品表示部３を備えており、自動販売機の商品見本収納空間に商品見本を展示すること無く、購買者に販売している商品を認識させることができるために、販売している商品を入れ替える際でも商品見本の入れ替え等が不要で、煩雑な作業を不要としている。
【００５５】
そして、商品表示部３は、化粧カバー本体２を正面側に向けて凸状に立体成型することで形成しているとともに、商品表示部３の裏面にはＬＥＤ等の発光手段を配置しているために、購買者に商品を確実に認識させることが可能で、購買意欲を起こさせることができる。
【００５６】
また、本実施例の化粧カバー１では、商品の広告、キャッチフレーズ、商品デザイン等を表示した商品広告表示部７を、化粧カバー本体２を正面側に向けて凸状に立体成型することで形成するとともに、商品広告表示部７の裏面にＬＥＤ１９を配置しているため、製造コストを上げることなく、自由にデコレーションを行うことができるとともに、自動販売機に接する購買者に強いインパクトを与えることができる立体的な商品広告を得ることが可能である。
【００５７】
更に、本実施例の化粧カバー１では、裏面の接着層を形成する際に、接着剤をストライプ状のパターンで化粧カバー本体２の裏面に塗布して、それによって、接着層１１以外の箇所を、化粧カバー１を自動販売機のフロント扉に接着した際に、端部において外部に連通したエアー抜き部１２が形成されるようにしているため、化粧カバー１を自動販売機のフロント扉に接着した際に、化粧カバー１と自動販売機との間に空気が入ってしまった場合でも、このエアー抜き部１２を介して、化粧カバー１と自動販売機との間に入ってしまった空気を外部に出すことができるので、化粧カバーと自動販売機における接着面との間に空気が残ってしまう事を無くすることが可能である。
【産業上の利用可能性】
【００５８】
本発明の化粧カバーは、自動販売機のフロント扉の正面に着脱自在に接着される化粧カバーにおいて、自動販売機への商品見本の展示を不要にするとともに、自動販売機に接する購買者に強いインパクトを与えて、購買意欲を起こさせることが可能であるため、商品を収納して展示する機器に着脱自在に接着される化粧カバーの全般に適用可能である。
【符号の説明】
【００５９】
１    化粧カバー
２    化粧カバー本体
３    商品表示部
４    商品選択ボタン用窓
５    コイン投入用窓
６    商品取り出し用窓
７    商品広告表示部
８    釣り銭取出用窓
１１    接着層
１２    エアー抜き部（凹溝部）
１３    嵌め込み孔
１４    見本缶部
１５    鍔部
１６    ＬＥＤ
１７    基板
１８    リード線
１９    ＬＥＤ
２０    基板
【図１】
2016148980.tif 000003
【図２】
2016148980.tif 000004
【図３】
2016148980.tif 000005
【図４】
2016148980.tif 000006
【図５】
2016148980.tif 000007
【図６】
2016148980.tif 000008
【図７】
2016148980.tif 000009